(57)【要約】【課題】温度設定スイッチのクリック操作数を低く抑えながらも、涼感あるいは暖房感を短時間に得ることが可能な車両用空調制御装置を提供すること。【解決手段】温度設定スイッチで設定された設定温度に基づいて、空調ユニット１からの送風吹出温度の調節を含む制御を行い、かつ、温度設定スイッチ７９をクリック操作したときのクリック操作数に対する設定温度の変化量を、初期設定変化量よりも大きくさせる変化量増大処理を実行可能なコントロールユニット２を備えていることを特徴とする車両用空調制御装置とした。【選択図】図１
2009166528.tif 000002
【特許請求の範囲】
【請求項１】
ユーザのクリック操作により車室環境に関する温度設定を行う温度設定スイッチと、
この温度設定スイッチで設定された設定温度に基づいて、空調ユニットからの送風吹出温度の調節を含む制御を行い、かつ、前記温度設定スイッチをクリック操作したときのクリック操作数に対する前記設定温度の変化量を、初期設定変化量よりも大きくさせる変化量増大処理を実行可能な制御装置と、
を備えていることを特徴とする車両用空調制御装置。
【請求項２】
前記変化量増大処理時の、１クリック操作に対する温度変化量を、任意に設定する変化量設定処理を実行可能としたことを特徴とする請求項１に記載の車両用空調制御装置。
【請求項３】
前記変化量増大処理の開始に伴いタイマのカウントを行い、あらかじめ設定された保持時間が経過するまで、前記変化量増大処理により決定されたシフト設定温度を保持する保持処理と、前記保持時間の経過後は、前記初期設定変化量に応じた正規設定温度に復帰させる復帰処理と、を実行可能としたことを特徴とする請求項１または請求項２に記載の車両用空調制御装置。
【請求項４】
前記復帰処理では、設定温度を、前記変化量増大処理に基づいて決定されたシフト設定温度から初期設定変化量に基づいて決定された正規設定温度に向けて徐々に変化させることを特徴とする請求項３に記載の車両用空調制御装置。
【請求項５】
前記保持時間および前記復帰処理に要する時間である復帰時間を任意に設定可能としたことを特徴とする請求項４に記載の車両用空調制御装置。
【発明の詳細な説明】
【技術分野】
【０００１】
本発明は、車両用空調制御装置に関し、特に、温度設定スイッチのクリック操作により設定温度を調節する技術に関する。
【背景技術】
【０００２】
従来、ユーザが温度設定スイッチをクリック操作して設定した設定温度と、車室内温度などの室内温度環境因子と、に基づいて、空調ユニットからの吹出温度である目標吹出温度を演算し、この目標吹出温度に基づいてエアミックスドアなどを制御して目標吹出温度を得るようにした車両用空調制御装置が特許文献１などにより知られている。
【特許文献１】特公平７−２８９６３号公報
【発明の開示】
【発明が解決しようとする課題】
【０００３】
しかしながら、上述の従来技術では、温度設定スイッチのクリック操作に対する設定温度の変化量が一定であったため、例えば、空調制御装置の運転開始直後などに、早く涼感を得たいあるいは早く暖房感を得たいという場合には、温度設定スイッチのクリック操作を数多く実行し、設定温度を大幅に変化させる操作を行う必要がある。
したがって、操作回数が多くなり、操作が面倒であった。
【０００４】
本発明は、上述のような従来の問題に着目して成されたもので、温度設定スイッチのクリック操作数を低く抑えながらも、涼感あるいは暖房感を短時間に得ることが可能な車両用空調制御装置を提供することを目的とする。
【課題を解決するための手段】
【０００５】
上述の目的を達成するために請求項１に記載の発明は、ユーザのクリック操作により車室環境に関する温度設定を行う温度設定スイッチと、この温度設定スイッチで設定された設定温度に基づいて、空調ユニットからの送風吹出温度の調節を含む制御を行い、かつ、前記温度設定スイッチをクリック操作したときのクリック操作数に対する前記設定温度の変化量を、初期設定変化量よりも大きくさせる変化量増大処理を実行可能な制御装置と、を備えていることを特徴とする車両用空調制御装置とした。
【０００６】
また、請求項２に記載の発明は、請求項１に記載の車両用空調制御装置において、前記変化量増大処理時の、１クリック操作に対する温度変化量を、任意に設定する変化量設定処理を実行可能としたことを特徴とする車両用空調制御装置とした。
【０００７】
また、請求項３に記載の発明は、請求項１または請求項２に記載の車両用空調制御装置において、前記変化量増大処理の開始に伴いタイマのカウントを行い、あらかじめ設定された保持時間が経過するまで、前記変化量増大処理により決定されたシフト設定温度を保持する保持処理と、前記保持時間の経過後は、前記初期設定変化量に応じた正規設定温度に復帰させる復帰処理と、を実行可能としたことを特徴とする車両用空調制御装置とした。
【０００８】
また、請求項４に記載の発明は、請求項３に記載の車両用空調制御装置において、前記復帰処理では、設定温度を、前記変化量増大処理に基づいて決定されたシフト設定温度から初期設定変化量に基づいて決定された正規設定温度に向けて徐々に変化させることを特徴とする車両用空調制御装置とした。
【０００９】
また、請求項５に記載の発明は、請求項４に記載の車両用空調制御装置において、前記保持時間および前記復帰処理に要する時間である復帰時間を任意に設定可能としたことを特徴とする車両用空調制御装置とした。
【発明の効果】
【００１０】
請求項１に記載の車両用空調制御装置では、変化量増大処理の実行時には、温度設定スイッチのクリック操作数に対して設定温度が大きく変化するため、少ないクリック操作数で、暖房感や涼感の向上を短時間に得ることが可能になる。
【００１１】
また、請求項２に記載の発明では、変化量設定処理により、変化量増大処理時の、１クリック操作に対する温度変化量を、任意に設定可能としたため、変化量増大処理時における温度変化量が一定の場合に比べて、よりユーザの要求に応じた制御が可能となる。
【００１２】
請求項３に記載の発明では、ユーザが温度設定スイッチのクリック操作を行った後の保持時間が経過する間だけ、初期設定変化量よりも大きな温度変化量で設定されたシフト設定温度に基づいて目標吹出温度を決定して、短時間に暖房感や涼感を得ることを可能としながらも、保持時間の経過後は、初期設定変化量に応じた正規設定温度に復帰させることで、ユーザがクリック操作を行って設定した設定温度（正規設定温度）とは異なるシフト設定温度による空調制御が実行されることによる違和感をユーザに与えるのを防止できる。
【００１３】
請求項４に記載の発明では、復帰処理により、設定温度を、前記変化量増大処理に基づいて決定されたシフト設定温度から初期設定変化量に基づいて決定された正規設定温度に向けて徐々に変化させるようにした。
このため、復帰処理の際に、瞬時に正規設定温度へ復帰させるものと比較して、吹出温度の変化を抑えることができ、吹出温度の急変によりユーザに違和感を与えることを防止できる。
【００１４】
請求項５に記載の発明では、シフト設定温度に対応した制御を実行する保持時間と、シフト設定温度から正規設定温度へ復帰する復帰時間と、を任意に設定可能としたため、ユーザの要求により高度に応じて違和感を与え難い制御が可能となる。
【発明を実施するための最良の形態】
【００１５】
以下、本発明の実施の形態を図面に基づいて説明する。
この実施の形態の車両用空調制御装置は、ユーザのクリック操作により車室環境に関する温度設定を行う温度設定スイッチ（７９）と、この温度設定スイッチ（７９）で設定された設定温度に基づいて、空調ユニット（１）からの送風吹出温度の調節を含む制御を行い、かつ、前記温度設定スイッチ（７９）をクリック操作したときのクリック操作数に対する前記設定温度の変化量を、初期設定変化量よりも大きくさせる変化量増大処理を実行可能な制御装置と、を備えていることを特徴とする車両用空調制御装置である。
【実施例１】
【００１６】
以下に、図１〜図２１に基づいて、この発明の最良の実施の形態の実施例１の車両用空調制御装置Ａについて説明する。
図１は車両用空調制御装置Ａの構成の概略を示す全体概略図であって、この車両用空調制御装置Ａは、空調ユニット１とコントロールユニット（制御装置）２とセンサ群３とを備えている。
【００１７】
空調ユニット１は、図示を省略したインストルメントパネル内に設置され、内外気を選択的に導入可能な空気導入口１１から、車室内に繋がる図示を省略した各種ダクトが接続されるデフ吹出口１２ａ，フット吹出口１２ｂ，ベント吹出口１２ｃに至る送風路１８を形成したユニットケース１ｃを備えている。
【００１８】
このユニットケース１ｃの送風路１８には、送風上流側から順に、空気導入口１１から各吹出口１２ａ〜１２ｃへ向かう送風を形成するブロワファン４と、送風を冷却するエバポレータ（熱交換装置）５と、送風を加熱するヒータコア（熱交換装置）６と、が設置されている。
【００１９】
エバポレータ５は、周知の冷媒を循環する冷凍サイクル５０の構成要素の一つである。なお、この周知の冷凍サイクル５０は、走行用のエンジン（図示省略）あるいはモータによって駆動されて冷媒を圧縮するコンプレッサ５１と、高圧ガス状の冷媒を冷却して飽和液とするコンデンサ５２と、冷媒を低温低圧の蒸気とする膨張弁５３と、冷媒の気液分離を行うリキッドタンク５４と、を備えている。
【００２０】
また、ユニットケース１ｃには、インテークドア１３と、エアミックスドア１４と、ドアモードアクチュエータ１６により開閉されるデフドア１５ａ、フットドア１５ｂ、ベントドア１５ｃとが設けられている。
【００２１】
センサ群３には、内気温センサ３２、外気温センサ３３、日射センサ３４、水温センサ３５、車速センサ３６、操作コントローラ７、が含まれている。
なお、周知のように、内気温センサ３２は、車室内の温度を検出するセンサである。外気温センサ３３は、車外温度を検出するセンサである。日射センサ３４は、日射量を検出するセンサである。水温センサ３５は、エンジン冷却水温度を検出するセンサである。車速センサ３６は、車両の走行速度を検出するセンサである。
【００２２】
操作コントローラ７は、図２に示すように、表示画面７０、風量コントロールスイッチ７１、吹出モード切換スイッチ７２、外気導入スイッチ７３、リアデフォッガスイッチ７４、エアコンスイッチ７５、内気循環スイッチ７６、デフロスタスイッチ７７、ＯＦＦスイッチ７８、温度設定スイッチ７９、ＡＵＴＯスイッチ８０、スピードアップスイッチ８１を備えている。
【００２３】
また、表示画面７０は、風量表示部７０ａ、温度表示部７０ｂ、吹出モード表示部７０ｃを備えている。
風量コントロールスイッチ７１は、風量を増大させる操作用の増大スイッチ７１ａと、風量を低減させる操作用の低減スイッチ７１ｂと、を備えている。
【００２４】
温度設定スイッチ７９は、温度を上昇させる操作用のプラススイッチ７９ａと、温度を低下させる操作用のマイナススイッチ７９ｂと、を備えている。これらのプラススイッチ７９ａおよびマイナススイッチ７９ｂは、それぞれ、プッシュ式のクリックスイッチであり、１回の押し操作、すなわちクリック操作により１回信号を出力する。
【００２５】
上述したセンサ群３の信号は、コントロールユニット２に入力される。
このコントロールユニット２は、イグニッションスイッチ９０および空調ユニット１の各アクチュエータに接続されており、センサ群３からの入力に基づいて空調ユニット１の作動を制御する。
【００２６】
この制御には、エアミックスドア１４の開度を調節して空調ユニット１からの吹出温度を制御する吹出温度制御が含まれている。
この吹出温度制御は、センサ群３からの入力に基づいて演算された目標吹出温度ＸＭに基づいて行われる。この目標吹出温度ＸＭの演算に、温度設定スイッチ７９により設定された設定温度ＴＰＴＣが用いられており、両者は、設定温度ＴＰＴＣが上昇すれば、目標吹出温度ＸＭが上昇し、設定温度ＴＰＴＣが低下すれば、目標吹出温度ＸＭも低下する比例関係にある。
【００２７】
この設定温度ＴＰＴＣは、温度設定スイッチ７９をユーザがクリック操作することにより任意に設定することができるもので、この場合、初期設定では、プラススイッチ７９ａを１回クリック操作すると設定温度ＴＰＴＣが１℃上昇し、マイナススイッチ７９ｂを１回クリック操作すると設定温度ＴＰＴＣが１℃低下する設定となっている。すなわち、プラススイッチ７９ａの１クリック操作に対する初期設定変化量が＋１℃、マイナススイッチ７９ｂの１クリック操作に対する初期設定変化量が−１℃に設定されている。
【００２８】
このような初期設定に対し、本実施例１では、温度設定スイッチ７９の両スイッチ７９ａ，７９ｂの１回のクリック操作に対する温度変化量ΔＰＴＣを、初期設定よりも大きな変化量に設定することが可能となっている。
さらに、この温度変化量を大きな変化量とした状態の保持時間Ｔ１、ならびに、この保持時間Ｔ１が経過した後に、変化量を初期設定の変化量に復帰させるのに要する時間である復帰時間Ｔ２を、任意に設定可能となっている。
【００２９】
そこで、これらの温度変化量ΔＰＴＣ、保持時間Ｔ１、復帰時間Ｔ２を設定する処理の詳細について、図３のフローチャートに基づいて説明する。
この設定処理では、まず、ステップＳ１において、イグニッションスイッチ９０がＯＦＦからＯＮに切り換えられたか判定し、ＯＦＦ→ＯＮの切り換えが成された場合、次のステップＳ２に進んで、操作コントローラ７のＯＦＦスイッチ７８とＡＵＴＯスイッチ８０との両方の同時長押し操作、例えば、２秒を超える同時長押し操作が成されたか否か判定し、この同時長押し操作が成された場合、ステップＳ３の第１シフト係数設定処理に進む。
なお、ステップＳ１およびステップＳ２において、ＮＯの判定が成された場合は、この判定を繰り返す。
【００３０】
ステップＳ３の第１シフト係数設定処理は、温度設定スイッチ７９の１回のクリック操作に対する設定温度ＴＰＴＣの温度変化量ΔＰＴＣを設定する処理であって、両スイッチ７９ａ，７９ｂの１回のクリック操作に対する設定温度ＴＰＴＣの温度変化量ΔＰＴＣを、２℃以上の任意に温度に設定する処理である。
【００３１】
さらに、本実施例１では、このように温度変化量ΔＰＴＣを、初期設定から変化させた場合に、詳細は後述するが、設定温度ＴＰＴＣとして、この温度変化量ΔＰＴＣを大きくして得られた第１シフト設定温度Ｓ１Ｔｐｔｃを用いるとともに、この第１シフト設定温度Ｓ１Ｔｐｔｃを表示画面７０における温度表示部７０ｂに表示する処理と、設定温度ＴＰＴＣとして、同様の第２シフト設定温度Ｓ２Ｔｐｔｃを用いながらも、温度表示部７０ｂにおける表示は、初期設定に基づく正規設定温度ＳＥＴｐｔｃを表示する処理と、の２通りの処理を実行するようにしている。
そこで、本実施例１では、このような２通りの処理に用いる両シフト設定温度Ｓ１Ｔｐｔｃ，Ｓ２Ｔｐｔｃを求めるにあたり、シフト係数として、２通りのシフト係数を用いるようにしており、ステップＳ３では、前者の第１シフト設定温度Ｓ１Ｔｐｔｃを求めるのに用いる第１プラス側シフト係数βｎおよび第１マイナス側シフト係数ηｎを設定するものである。
【００３２】
この第１シフト係数設定処理は、具体的には、温度設定スイッチ７９のプラススイッチ７９ａおよびマイナススイッチ７９ｂをクリック操作するのに応じて実行される。
すなわち、このステップＳ３では、プラススイッチ７９ａのクリック操作に応じて図４に示す第１プラス側シフト係数βｎが設定され、かつ、温度表示部７０ｂに、その第１プラス側シフト係数βｎに応じて、「表示」に記載された温度が表示され、この温度表示部７０ｂに表示された温度が、プラススイッチ７９ａの１回のクリック操作に対する温度変化量ΔＰＴＣとして設定される。なお、第１プラス側シフト係数βｎは、図示のように、β１〜β１２に設定することができる。
【００３３】
同様に、ステップＳ３では、マイナススイッチ７９ｂのクリック操作に応じて図５に示す第１マイナス側シフト係数ηｎが設定され、かつ、温度表示部７０ｂに、その第１マイナス側シフト係数ηｎに応じて、「表示」に記載された温度が表示され、この表示された温度が、マイナススイッチ７９ｂの１回のクリック操作に対する温度変化量ΔＰＴＣとして設定される。
なお、このように第１プラス側シフト係数βｎと第１マイナス側シフト係数ηｎとは、プラス側は＋２℃刻み、マイナス側は−３℃刻みというように、それぞれ独立して設定することができる。
【００３４】
ステップＳ３の第１シフト係数設定処理が終了すると、ステップＳ４の保持時間設定処理に進む。
この保持時間設定処理は、設定温度ＴＰＴＣとして、後述する第２プラス側シフト係数δｎおよび第２マイナス側シフト係数θｎに基づいて求めた第２シフト設定温度Ｓ２Ｔｐｔｃを用いる状態を保持する保持時間Ｔ１を設定する処理である。
【００３５】
このステップＳ４における保持時間Ｔ１の設定は、操作コントローラ７の内気循環スイッチ７６のクリック操作で開始され、温度設定スイッチ７９のマイナススイッチ７９ｂのクリック操作に基づいて行われる。
すなわち、この保持時間Ｔ１は、図６に示すように、初期値は０に設定されている。そして、内気循環スイッチ７６をクリック操作した後のマイナススイッチ７９ｂのクリック回数に応じて、保持時定数γｎがγ１，γ２，γ３に切り換えられるとともに、温度表示部７０ｂにおける表示が１，２，３と切り換えられ、かつ、保持時間Ｔ１が、３分、４分、５分と切り換えられる。
したがって、このステップＳ４の保持時間設定処理により、保持時間Ｔ１として、３分，４分，５分のいずれかを選択することができる。
【００３６】
ステップＳ４の保持時間設定処理が終了すると、ステップＳ５の復帰時間設定処理に進む。
この復帰時間設定処理は、設定温度ＴＰＴＣとして第２シフト設定温度Ｓ２Ｔｐｔｃを用いて目標吹出温度ＸＭを演算する状態を保持時間Ｔ１が経過するまで実行した後に、設定温度ＴＰＴＣとして正規設定温度ＳＥＴｐｔｃを用いて目標吹出温度ＸＭを演算する状態に復帰するのに要する時間、すなわち復帰時間Ｔ２を設定する処理である。
【００３７】
この復帰時間Ｔ２の設定は、操作コントローラ７のエアコンスイッチ７５のクリック操作で開始され、温度設定スイッチ７９のプラススイッチ７９ａのクリック操作数に基づいて設定される。
すなわち、復帰時間Ｔ２は、図７に示すように、初期値が０分に設定されており、プラススイッチ７９ａのクリック操作数に応じて、復帰時定数εｎがε１，ε２，ε３と切り換えられるとともに、復帰時間Ｔ２が、５分，１０分，１５分に切り換えられる。
【００３８】
ステップＳ５の復帰時間設定処理が終了すると、ステップＳ６の第２シフト係数設定処理に進む。この第２シフト係数設定処理は、前述した第２プラス側シフト係数δｎおよび第２マイナス側シフト係数θｎを設定処理であって、このステップＳ５の実行タイミングで、温度設定スイッチ７９の両スイッチ７９ａ，７９ｂを操作することで行われる。
すなわち、このステップＳ６では、プラススイッチ７９ａのクリック操作に応じて図８に示す第２プラス側シフト係数δｎが設定され、かつ、プラススイッチ７９ａの１回のクリック操作に対する温度変化量ΔＰＴＣが設定されるとともに、温度表示部７０ｂに、その第２プラス側シフト係数δｎに応じて、「表示」に記載された温度が表示される。したがって、温度表示部７０ｂに表示された温度に基づいて、温度変化量ΔＰＴＣを確認することができる。なお、第２プラス側シフト係数δｎは、図示のように、δ１〜δ４に設定することができる。
【００３９】
同様に、ステップＳ６では、マイナススイッチ７９ｂのクリック操作に応じて図９に示す第２マイナス側シフト係数θｎが設定され、かつ、マイナススイッチ７９ｂの１回のクリック操作に対する温度変化量ΔＰＴＣが設定されるとともに、温度表示部７０ｂに、その第２マイナス側シフト係数θｎに応じて、「表示」に記載された温度が表示される。したがって、温度表示部７０ｂに表示される温度に基づいて、温度変化量ΔＰＴＣを確認することができる。
【００４０】
その後、ステップＳ７においてイグニッションスイッチ９０のＯＮからＯＦＦへの切換操作、あるいはステップＳ８において操作コントローラ７のＯＦＦスイッチ７８の操作が実行されることで、設定処理を終了する（ステップＳ９）。
【００４１】
次に、温度設定スイッチ７９をクリック操作した際の設定温度ＴＰＴＣの決定処理の流れを図１０〜図１５のフローチャートに基づいて説明する。
【００４２】
まず、ステップＳ１１では、目標吹出温度の算出を行う。ここでは、従来から実施されているように、外気温度、室内温度、日射量、設定温度などに基づいて、室内温度が設定温度ＴＰＴＣとなるように、目標吹出温度ＸＭが算出される。
【００４３】
次のステップＳ１２では、操作コントローラ７の温度設定スイッチ７９の操作が成されたか否か判定し、操作が成されなかった場合には、ステップＳ１３に進み、一方、操作が成された場合には、プラススイッチ７９ａとマイナススイッチ７９ｂとのいずれの操作であるかに応じ、プラススイッチ７９ａの操作の場合には、ステップＳ２０に進み、マイナススイッチ７９ｂの操作の場合には、ステップＳ３０に進む。
【００４４】
ここで、プラススイッチ７９ａのクリック操作が成された場合に進む、ステップＳ２０以降の処理では、まず、ステップＳ２０において、スピードアップスイッチ８１がＯＮであるか否か判定し、ＯＦＦの場合には、ステップＳ２１に進み、ＯＮの場合には、ステップＳ２６に進む。
【００４５】
すなわち、プラススイッチ７９ａのクリック操作が成された場合、前述したように、スピードアップスイッチ８１がＯＮかＯＦＦかにより処理が異なる。すなわち、スピードアップスイッチ８１がＯＮの場合には、ステップＳ３において設定された第１プラス側シフト係数βｎに基づく温度変化量ΔＰＴＣにより決定された第１シフト設定温度Ｓ１Ｔｐｔｃの表示を行うとともに、この第１シフト設定温度Ｓ１Ｔｐｔｃに基づいて得られた目標吹出温度ＸＭを設定する常時暖房強調処理を実行する。
一方、スピードアップスイッチ８１がＯＦＦの場合には、温度表示部７０ｂの温度表示は、クリック数に応じた正規設定温度ＳＥＴｐｔｃの表示としながら、目標吹出温度ＸＭの演算に用いる設定温度ＴＰＴＣとしては、運転開始後に保持時間Ｔ１が経過するまで第２シフト設定温度Ｓ２Ｔｐｔｃを用いる一時暖房強調処理を実行する。
【００４６】
そこで、スピードアップスイッチ８１がＯＮの場合には、ステップＳ２６に進んでフラグを＝０にセットし、次のステップＳ２７において、ステップＳ３で設定した第１プラス側シフト係数βｎを参照する。
そして、次のステップＳ２８において、温度変化量ΔＰＴＣとして、第１プラス側シフト係数βｎに基づいて得られた変数σβとし、さらに、第１シフト設定温度Ｓ１Ｔｐｔｃとして、設定温度ＴＰＴＣの前回値ＰＴＣに温度変化量ΔＰＴＣ（＝σβ）を加算し、この第１シフト設定温度Ｓ１Ｔｐｔｃを設定温度ＴＰＴＣとする処理を実行する。そして、このようにして得られた設定温度ＴＰＴＣに基づいて、ステップＳ１１において目標吹出温度ＸＭの演算が行われる。
【００４７】
ここで、変数σβは、図１６に示す変数特性に基づいて、第１プラス側シフト係数βｎとクリック数に応じて決定される。この変数特性に示すように、第１プラス側シフト係数βｎの設定にかかわらず、１回目のクリック操作では、変数σβは、１に設定され、２回目以降は、第１プラス側シフト係数βｎごとに設定された温度の刻みで増加される。
【００４８】
一方、スピードアップスイッチ８１がＯＦＦの場合には、ステップＳ２１において、操作フラグを＝１に設定し、次のステップＳ２２において、タイマをスタートさせる。なお、このタイマは、ステップＳ４で設定された保持時間Ｔ１のカウント、およびステップＳ５で設定された復帰時間Ｔ２のカウントに用いられ、これら保持時間Ｔ１，復帰時間Ｔ２のカウントの終了により、操作フラグが０にリセットされる。
【００４９】
次のステップＳ２３では、クリック操作数および第２プラス側シフト係数δｎに基づいて温度変動値ＴＴＥＭＰを求める。具体的には、この温度変動値ＴＴＥＭＰは、プラススイッチ７９ａのクリック数と、第２プラス側シフト係数δｎに基づいて得られる変数σδとに基づいて、下記の式（１）により決定する。
ＴＴＥＭＰ＝クリック数×σδ  …（１）
【００５０】
ここで、変数σδは、図１７に示す変数特性に基づいて、第２プラス側シフト係数δｎとクリック数に応じて決定される。この変数特性に示すように、第２プラス側シフト係数δｎの設定にかかわらず、１回目のクリック操作では、変数σδは、１に設定され、２回目以降は、第２プラス側シフト係数δｎごとに設定された温度の刻みで増加される。
【００５１】
次に、ステップＳ２４では、温度変化量ΔＰＴＣを求めるのに使用する変化値ＮＰＴＣを、下記の式（２）に基づいて求める。
ＮＰＴＣ＝（ＰＴＣ＋ＴＴＥＭＰ）×（Ａ＋Ｄ）  …（２）
ここで、ＰＴＣは前回の設定温度、Ａ，Ｄは、定数である。また、定数Ａ，Ｄは、本実施例１では、説明の簡略化のため、Ａ＝１，Ｄ＝０とする。
【００５２】
次に、ステップＳ２５において、温度変化量ΔＰＴＣを、目標吹出温度ＸＭと変化値ＮＰＴＣとに基づいて、下記の式（３）により求める。
ΔＰＴＣ＝ＸＭ−ＮＰＴＣ  …（３）
さらに、設定温度ＴＰＴＣの前回値ＰＴＣに、温度変化量ΔＰＴＣを加算して、第２シフト設定温度Ｓ２Ｔｐｔｃを求め、この第２シフト設定温度Ｓ２Ｔｐｔｃを、今回の設定温度ＴＰＴＣとする。
そして、このようにして得られた設定温度ＴＰＴＣに基づいて、ステップＳ１１において目標吹出温度ＸＭの演算が行われる。
【００５３】
次に、ステップＳ１２において、マイナススイッチ７９ｂの操作である場合に進むステップＳ３０以降の処理を説明する。
【００５４】
まず、ステップＳ３０において、スピードアップスイッチ８１がＯＮであるか否か判定し、ＯＦＦの場合には、ステップＳ３１に進み、ＯＮの場合には、ステップＳ３６に進む。すなわち、マイナススイッチ７９ｂのクリック操作が行われたときに、スピードアップスイッチ８１がＯＮとなっている場合には、常時冷房強調処理を実行し、スピードアップスイッチ８１がＯＦＦとなっている場合には、一時冷房強調処理を実行する。
【００５５】
なお、常時冷房強調処理の場合には、ステップＳ３において設定された第１マイナス側シフト係数ηｎに基づく温度変化量ΔＰＴＣにより決定された第１シフト設定温度Ｓ１Ｔｐｔｃの表示を行うとともに、この第１シフト設定温度Ｓ１Ｔｐｔｃに基づいて得られた目標吹出温度ＸＭを設定する常時冷房強調処理を実行する。
一方、一時冷房強調処理の場合は、温度表示部７０ｂの温度表示は、クリック数に応じた正規設定温度ＳＥＴｐｔｃの表示としながら、目標吹出温度ＸＭの演算に用いる設定温度ＴＰＴＣとしては、運転開始後に保持時間Ｔ１が経過するまで第２シフト設定温度Ｓ２Ｔｐｔｃを用いて、設定温度ＴＰＴＣを一時的に低下させる。
【００５６】
そこで、スピードアップスイッチ８１がＯＮの場合には、ステップＳ３６に進んでフラグを＝０にセットし、次のステップＳ３７において、ステップＳ３で設定した第１マイナス側シフト係数ηｎを参照する。
そして、次のステップＳ３８において、第１シフト設定温度Ｓ１Ｔｐｔｃとして、設定温度ＴＰＴＣの前回値ＰＴＣに第１マイナス側シフト係数ηｎに基づいて得られた変数σηを加算し、この第１シフト設定温度Ｓ１Ｔｐｔｃを設定温度ＴＰＴＣとする処理を実行する。そして、このようにして得られた設定温度ＴＰＴＣに基づいて、ステップＳ１１において目標吹出温度ＸＭの演算が行われる。
【００５７】
ここで、変数σηは、図１８に示す変数特性に基づいて、第１マイナス側シフト係数ηｎとクリック数に応じて決定される。この変数特性に示すように、第１マイナス側シフト係数ηｎの設定にかかわらず、１回目のクリック操作では、変数σηは、１に設定され、２回目以降は、第１マイナス側シフト係数ηｎごとに設定された温度の刻みで増加される。
【００５８】
一方、スピードアップスイッチ８１がＯＦＦの場合には、ステップＳ３１において、操作フラグを＝１に設定し、次のステップＳ３２において、タイマをスタートさせる。
【００５９】
次のステップＳ３３では、クリック操作数および第２マイナス側シフト係数θｎに基づいて温度変動値ＴＴＥＭＰを求める。具体的には、この温度変動値ＴＴＥＭＰは、マイナススイッチ７９ｂのクリック数と、第２マイナス側シフト係数θｎに基づいて得られる変数σθとに基づいて、下記の式（４）により決定する。
ΔＰＴＣ＝クリック数×σθ  …（４）
【００６０】
ここで、変数σθは、図１９に示す変数特性に基づいて、第２マイナス側シフト係数θｎとクリック数に応じて決定される。この変数特性に示すように、第２マイナス側シフト係数θｎの設定にかかわらず、１回目のクリック操作では、変数σθは、１に設定され、２回目以降は、第２マイナス側シフト係数θｎごとに設定された温度の刻みで増加される。
【００６１】
次に、ステップＳ３４では、ステップＳ２４と同様に式（２）に基づいて、温度変化量ΔＰＴＣを求めるのに使用する変化値ＮＰＴＣを求める。
【００６２】
次に、ステップＳ３５において、温度変化量ΔＰＴＣを、目標吹出温度ＸＭと変化値ＮＰＴＣとに基づいて、式（３）により求める。さらに、設定温度ＴＰＴＣの前回値ＰＴＣに、温度変化量ΔＰＴＣを加算して、第２シフト設定温度Ｓ２Ｔｐｔｃを求め、この第２シフト設定温度Ｓ２Ｔｐｔｃを、今回の設定温度ＴＰＴＣとする。
そして、このようにして得られた設定温度ＴＰＴＣに基づいて、ステップＳ１１において目標吹出温度ＸＭの演算が行われる。
【００６３】
次に、ステップＳ１２において、温度設定スイッチ７９の操作が成されない場合の処理について説明する。
この場合の処理は、温度設定スイッチ７９の操作が成された後の処理、および操作が成されなかった場合の処理であって、前述した一時暖房強調処理および一時冷房強調処理の実行開始後には、それらの処理の終了および正規設定温度ＳＥＴｐｔｃへの復帰処理が含まれる。
【００６４】
すなわち、ステップＳ１３では、タイマがカウント中か否か判定し、カウント中の場合（一時暖房強調処理および一時冷房強調処理の実行中）はステップＳ１４に進み、カウント中でなければ、ステップＳ１６に進んで、操作フラグを＝０とする。
【００６５】
ステップＳ１４では、第２シフト設定温度Ｓ２Ｔｐｔｃが、正規設定温度ＳＥＴｐｔｃに達したか否か（後述する復帰処理が終了したか）判定し、復帰した場合には、ステップＳ１５に進んで、タイマをクリアする。
一方、正規設定温度ＳＥＴｐｔｃに達していない場合には、ステップＳ１７に進んで、ステップＳ１２おける温度設定スイッチ７９の操作がプラススイッチ７９ａとマイナススイッチ７９ｂのいずれであったか、すなわち、一時暖房強調処理と一時冷房強調処理のいずれを行うか、を判定し、マイナススイッチ７９ｂの操作の場合（一時冷房強調処理の場合）には、ステップＳ１８に進み、プラススイッチ７９ａの操作の場合（一時暖房強調処理の場合）、ステップＳ１９に進む。
【００６６】
ステップＳ１８では、一時冷房強調処理を実行する。
すなわち、この一時冷房強調処理は、図２０に示すように、設定された保持時間Ｔ１が経過するまで、設定温度ＴＰＴＣとして第２マイナス側シフト係数θ１により得られた第２シフト設定温度Ｓ２Ｔｐｔｃを用い、保持時間Ｔ１の経過後は、設定温度ＴＰＴＣを、第２シフト設定温度Ｓ２Ｔｐｔｃから正規設定温度ＳＥＴｐｔｃへ、設定された復帰時間Ｔ２をかけて、徐々に上昇させる処理である。
また、このような設定温度ＴＰＴＣの制御により、目標吹出温度ＸＭも、同様の特性で制御され、保持時間Ｔ１が経過するまでの間、目標吹出温度ＸＭが一時的に低下されることで、涼感が強調される。
【００６７】
ステップＳ１９では、一時暖房強調処理を実行する。
この一時暖房強調処理は、図２１に示すように、設定された保持時間Ｔ１が経過するまで、設定温度ＴＰＴＣとして第２プラス側シフト係数δｎにより得られた第２シフト設定温度Ｓ２Ｔｐｔｃを用い、保持時間Ｔ１の経過後は、設定温度ＴＰＴＣを、第２シフト設定温度Ｓ２Ｔｐｔｃから正規設定温度ＳＥＴｐｔｃへ、設定された復帰時間Ｔ２をかけて、徐々に低下させる処理である。
この一時暖房強調処理による設定温度ＴＰＴＣの制御により、目標吹出温度ＸＭも、同様の特性で制御され、保持時間Ｔ１が経過するまでの間、目標吹出温度ＸＭが一時的に上昇されることで、涼感が強調される。
【００６８】
次に、実施例１の車両用空調制御装置Ａにおける設定処理を実行させる場合の操作と、その操作に応じた実施例１の装置の動作を、場合分けして説明する。
すなわち、
＜設定操作時＞
（常時暖房強調処理および常時冷房強調処理の場合の設定操作）
（保持時間・復帰時間の設定）
（一時暖房強調処理および一時冷房強調処理の場合の設定操作）
＜暖房時の温度調節操作時＞
（スピードアップスイッチＯＮ時）
（スピードアップスイッチＯＦＦ時）
＜冷房時の温度調節操作時＞
（スピードアップスイッチＯＮ時）
（スピードアップスイッチＯＦＦ時）
の順で説明する。
【００６９】
＜設定操作時＞
（常時暖房強調処理および常時冷房強調処理の場合の設定操作）
暖房時において、プラススイッチ７９ａの操作に対して、実際のクリック操作数よりも設定温度ＴＰＴＣの変化を大きくし、この状態を継続させる状態に設定する操作の手順を説明する。
【００７０】
この場合、まず、イグニッションスイッチ９０をＯＦＦからＯＮに切り換え、その後、操作コントローラ７のＯＦＦスイッチ７８とＡＵＴＯスイッチ８０とを長押しする操作を行う。
【００７１】
次に、暖房時に、設定温度ＴＰＴＣを初期値よりも大きく変化させたい場合には、プラススイッチ７９ａのクリック操作を行う。このクリック操作を行った回数により、第１プラス側シフト係数βｎが設定され、１回のクリック操作に対して、設定温度ＴＰＴＣを＋２℃刻みで変化させるβ１から＋１３℃刻みで変化させるβ１２まで任意に設定することができる。
【００７２】
一方、冷房時に、設定温度ＴＰＴＣを初期値よりも大きく変化させたい場合には、マイナススイッチ７９ｂのクリック操作を行う。このクリック操作を行った回数により、第１マイナス側シフト係数ηｎが設定され、１回のクリック操作に対して、設定温度ＴＰＴＣを−２℃刻みで変化させるη１から−１３℃刻みで変化させるη１２まで任意に設定することができる。
【００７３】
なお、この設定時には、両シフト係数βｎ，ηｎの切り換りに連動して、温度表示部７０ｂにおける温度表示が切り換えられることで、両シフト係数βｎ，ηｎの設定を確認することができる。
【００７４】
（保持時間・復帰時間の設定）
上述の第１プラス側・マイナス側両シフト係数βｎ，ηｎは、設定温度ＴＰＴＣをシフトさせた状態を継続的に行う場合に使用する係数である。
本実施例１では、これとは別に、設定温度ＴＰＴＣを一時的にシフトさせて、暖房感や涼感を強調させることを、一時的に実行する処理も行い、この場合は、第２プラス側・マイナス側両シフト係数θｎ，δｎを使用する。
【００７５】
これらの第２プラス側・マイナス側両シフト係数δｎ，θｎは、一時的に使用するため、これらの設定に先立ち、保持時間Ｔ１と、正規設定温度ＳＥＴｐｔｃに復帰させるのに要する復帰時間Ｔ２を設定する。
【００７６】
保持時間Ｔ１の設定は、内気循環スイッチ７６のクリック操作後にマイナススイッチ７９ｂをクリック操作することで、そのクリック数に応じて設定される。すなわち、保持時間Ｔ１は、クリック数が０でＴ１＝０分、クリック数が１でＴ１＝３分、クリック数が２でＴ１＝４分、クリック数が３でＴ１＝５分に設定される。
【００７７】
また、復帰時間Ｔ２の設定は、エアコンスイッチ７５のクリック操作後に、プラススイッチ７９ａをクリックすることで、そのクリック数に応じて設定される。すなわち、復帰時間Ｔ２は、クリック数が０でＴ２＝０分、クリック数が１でＴ２＝５分、クリック数が２でＴ２＝１０分、クリック数が３でＴ２＝１５分に設定される。
（一時暖房強調処理および一時冷房強調処理の場合の設定操作）
上述した一時暖房強調処理および一時冷房処理に用いる第２プラス側・マイナス側両シフト係数δｎ，θｎの設定は、上述の保持時間Ｔ１および復帰時間Ｔ２の設定の後に、温度設定スイッチ７９のクリック操作を行うことで成される。
【００７８】
この場合も、第１プラス側・マイナス側両シフト係数βｎ，ηｎの設定と同様に、プラススイッチ７９ａおよびマイナススイッチ７９ｂのクリック操作数に応じて、第２プラス側・マイナス側両シフト係数δｎ，θｎが設定される。
【００７９】
以上の設定が終了したら、操作コントローラ７のＯＦＦスイッチ７８をクリック操作するか、イグニッションスイッチ９０をＯＮからＯＦＦに切り換えることで、設定処理を終了する。
【００８０】
＜暖房時の温度調節操作時＞
次に、暖房時に、寒く感じ、早く暖房感を得たい場合の操作について説明する。
この場合、温度設定スイッチ７９のプラススイッチ７９ａを２回以上クリック操作する。
一例として、第１プラス側シフト係数βｎおよび第２プラス側シフト係数δｎが、それぞれ、２度刻みのβ１，δ１に設定されており、設定温度が２５℃となっている状態から、プラススイッチ７９ａを２回クリック操作した場合について説明する。
上記の操作を行った場合、スピードアップスイッチ８１がＯＮのときとＯＦＦのときで動作が異なるため、それぞれの動作を順に説明する。
【００８１】
（スピードアップスイッチＯＮ時）
スピードアップスイッチ８１がＯＮの場合、常時暖房強調処理が実行される。
すなわち、この場合には、ユーザ自身が、スピードアップスイッチ８１をＯＮとしてクリック操作に対する温度変化量を大きく設定していることを自覚しており、温度表示部７０ｂの温度表示が、クリック操作数に対して大きく変化することに違和感を持たないと考えられる。
【００８２】
そこで、このようにスピードアップスイッチ８１がＯＮで、プラススイッチ７９ａを２回クリックした場合には、ステップＳ１１→Ｓ１２→Ｓ２０→Ｓ２６→Ｓ２７→Ｓ２８の処理に基づいて、まず、１回目のクリック操作に応じて、温度変化量ΔＰＴＣとして１℃が得られることから、第１シフト設定温度Ｓ１Ｔｐｔｃとして２６℃が得られるとともに、この２６℃を温度表示部７０ｂに表示させる。
【００８３】
次に、２回目のクリック操作に応じ、温度変化量ΔＰＴＣ（＝変数σβ）として２℃が得られることから第１シフト設定温度Ｓ１Ｔｐｔｃが、２６℃＋２℃により２８℃となる。
したがって、２回のクリック操作により、初期設定による正規設定温度ＳＥＴｐｔｃが２５℃＋２℃で２７℃となるところ、設定温度ＴＰＴＣとして用いられる第１シフト設定温度Ｓ１Ｔｐｔｃが２８℃となり、これにより、目標吹出温度ＸＭも、正規設定温度ＳＥＴｐｔｃを用いた場合よりも高められ、暖房感が強調される。
よって、少ないクリック操作数で、高い暖房感を短時間に得ることが可能となる。
【００８４】
なお、さらにクリック操作数が３回、４回と増えた場合には、２回目以降のクリック操作数の２倍で表示温度および設定温度ＴＰＴＣが上昇し、さらに高い暖房感を短時間に得ることができる。
また、第１プラス側シフト係数βｎとして、β２，β３と刻み温度を大きくすることで、１クリック操作に対する温度変化量ΔＰＴＣが大きくなり、この場合、少ないクリック操作数で、より高い暖房感を短時間に得ることができる。
【００８５】
（スピードアップスイッチＯＦＦ時）
スピードアップスイッチ８１がＯＦＦの場合は、ユーザ自身が、クリック操作に対する温度変化量を大きく設定していることを自覚していないとみなすことができる。そこで、この場合には、温度表示は、クリック操作数に応じた正規設定温度ＳＥＴｐｔｃを表示させて、ユーザに違和感を与えないようにしながら、制御側で、第２シフト設定温度Ｓ２Ｔｐｔｃを用い、ユーザが短時間に暖かさを得ることができるようにしているとともに、保持時間Ｔ１が経過したら、設定温度ＴＰＴＣを、正規設定温度ＳＥＴｐｔｃに復帰させるようにしている。
【００８６】
そこで、スピードアップスイッチ８１がＯＦＦで、プラススイッチ７９ａを２回クリック操作した場合には、ステップＳ１１→Ｓ１２→Ｓ２０→Ｓ２１→Ｓ２２→Ｓ２３→Ｓ２４→Ｓ２５の処理に基づいて、まず、１回目のクリック操作に応じて、第２プラス側シフト係数δ１に基づいて表示温度を２６℃に上昇させるとともに、第２シフト設定温度Ｓ２Ｔｐｔｃも、正規設定温度ＳＥＴｐｔｃと同様の２６℃となる。
【００８７】
さらに、２回目のクリック操作に応じ、温度表示部７０ｂの表示温度は、２回目のクリック操作に応じて、１℃上昇させて２７℃とする一方、第２シフト設定温度Ｓ２Ｔｐｔｃは、第２プラス側シフト係数δ１の変数σδに基づいて２℃上昇させて２８℃となる。
【００８８】
なお、温度変化量ΔＰＴＣを求めるにあたり、まず、ステップＳ２３の処理においてＴＴＥＭＰ＝１×２℃＝２℃が得られ、次のステップＳ２４の処理により、ＮＰＴＣ＝（２６℃−２℃）×（１＋０）＝２４℃が得られ、次のステップＳ２５の処理により、ΔＰＴＣ＝ＸＭ−ＮＰＴＣ＝２６℃−２４℃＝２となる。
よって、第２シフト設定温度Ｓ２Ｔｐｔｃは、前回値ＰＴＣ＋ΔＰＴＣ＝２８℃となる。この場合、設定温度ＴＰＴＣ＝Ｓ２Ｔｐｔｃであるから、この２８℃に基づいて目標吹出温度ＸＭが演算され、正規設定温度ＳＥＴｐｔｃ＝２７℃の場合よりも高い目標吹出温度ＸＭとなる。
よって、少ないクリック操作数で、高い暖房感を得ることが可能となる。
【００８９】
さらに、このように設定温度ＴＰＴＣとして、温度変化量ΔＰＴＣが加算された第２シフト設置温度Ｓ２Ｔｐｔｃが用いられるのは、あらかじめ設定された保持時間Ｔ１が経過するまでの間である。
すなわち、クリック操作の実行後は、ステップＳ１２→Ｓ１３→Ｓ１４→Ｓ１７→Ｓ１９の処理に基づいて、タイマのカウントに基づいて、保持時間Ｔ１が経過するまでは、設定温度ＴＰＴＣとして、第２シフト設定温度Ｓ２Ｔｐｔｃが用いられる。
【００９０】
そして、保持時間Ｔ１が経過したら、復帰時間Ｔ２の経過後に、第２シフト設定温度Ｓ２Ｔｐｔｃが正規設定温度ＳＥＴｐｔｃに一致するように、時間経過に伴い第２シフト設定温度Ｓ２Ｔｐｔｃを漸次低下させる。
【００９１】
その後、復帰時間Ｔ２が経過して、第２シフト設定温度Ｓ２Ｔｐｔｃ＝正規設定温度ＳＥＴｐｔｃとなると、ステップＳ１４→Ｓ１５の処理に基づいてタイマがクリアされた後、ステップＳ１３→Ｓ１６の処理により操作フラグ＝０とするクリア処理が成され、通常の制御に復帰し、正規設定温度ＳＥＴｐｔｃに応じた目標吹出温度ＸＭが演算される。
【００９２】
以上のように、一時暖房強調処理では、保持時間Ｔ１が経過するまでは、クリック操作に対して、高い暖房感が得られる状態が保持され、その後、復帰時間Ｔ２をかけて、徐々に通常の制御に復帰して、クリック操作に応じた目標吹出温度ＸＭに復帰する。
したがって、クリック操作に対して、短時間に目標吹出温度ＸＭを上昇させながらも、その後は、表示された設定温度ＴＰＴＣに応じた目標吹出温度ＸＭとなって、スピードアップスイッチ８１をＯＮにしていないユーザに違和感を与えない空調制御が可能である。
【００９３】
なお、さらにクリック操作数が増えた場合には、２回目以降のクリック操作数の２倍で設定温度ＴＰＴＣが上昇し、さらに高い暖房感を短時間に得ることができる。
また、第２プラス側シフト係数δｎとして、δ２，δ３と刻み温度を大きくすることで、１クリック操作に対する設定温度ＴＰＴＣの上昇量が大きくなり、この場合、少ないクリック操作数で、より高い暖房感を短時間に得ることができる。
【００９４】
＜冷房時の温度調節操作時＞
次に、冷房時に、暑く感じ、早く涼感を早く得たい場合の操作について説明する。
この場合、温度設定スイッチ７９のマイナススイッチ７９ｂを２回以上クリック操作する。
一例として、第１マイナス側シフト係数ηｎおよび第２マイナス側シフト係数θｎが、それぞれ、２度刻みのη１，θ１に設定されており、設定温度が２５℃となっている状態から、マイナススイッチ７９ｂを２回クリック操作した場合について説明する。
上記の操作を行った場合、スピードアップスイッチ８１がＯＮのときとＯＦＦのときで動作が異なるため、それぞれの動作を順に説明する。
【００９５】
（スピードアップスイッチＯＮ時）
スピードアップスイッチ８１がＯＮの場合、ユーザ自身が、スピードアップスイッチ８１をＯＮとしてクリック操作に対する温度変化量を大きく設定していることを自覚しており、温度表示部７０ｂの表示温度が、クリック操作数に対して大きく変化することに違和感を持たないと考えられる。
【００９６】
そこで、このようにスピードアップスイッチ８１がＯＮで、マイナススイッチ７９ｂを２回クリックした場合には、ステップＳ１１→Ｓ１２→Ｓ３０→Ｓ３６→Ｓ３７→Ｓ３８の処理に基づいて、まず、１回目のクリック操作に応じて、温度変化量ΔＰＴＣとして−１℃が得られることから、第１シフト設定温度Ｓ１Ｔｐｔｃが、２５℃−１℃により２４℃となり、かつ、温度表示部７０ｂには、この２４℃を表示する。
【００９７】
次に、２回目のクリック操作に応じ、温度変化量ΔＰＴＣ（＝変数ση）として−２℃が得られることから、表示温度および第１シフト設定温度Ｓ１Ｔｐｔｃが２２℃となる。
したがって、２回のクリック操作により、正規では、２５℃−２℃により設定温度ＴＰＴＣが２３℃となるところが、２２℃となり、これにより、目標吹出温度ＸＭも、正規設定温度ＳＥＴｐｔｃを用いる場合よりも低下され、涼感が強調される。
よって、少ないクリック操作数で、高い涼感を短時間に得ることが可能となる。
【００９８】
なお、さらにクリック操作数が増えた場合には、２回目以降のクリック操作数の２倍で表示温度および設定温度ＴＰＴＣが低減され、さらに高い涼感を短時間に得ることができる。
また、第１マイナス側シフト係数ηｎとして、η２，η３と刻み温度を大きくすることで、１クリック操作に対する設定温度ＴＰＴＣの低下量が大きくなり、この場合、少ないクリック操作数で、より高い涼感を短時間に得ることができる。
【００９９】
（スピードアップスイッチＯＦＦ時）
スピードアップスイッチ８１がＯＦＦの場合は、ユーザ自身が、クリック操作に対する温度変化量を大きく設定していることを自覚していないとみなすことができる。そこで、この場合には、温度表示は、クリック操作数に応じた正規設定温度ＳＥＴｐｔｃを表示させてユーザに違和感を与えないようにしながら、制御側で、第２シフト設定温度Ｓ２Ｔｐｔｃを用い、ユーザが短時間に涼感を得ることができるようにしているとともに、保持時間Ｔ１が経過したら、設定温度ＴＰＴＣを、正規設定温度ＳＥＴｐｔｃに復帰させるようにしている。
【０１００】
そこで、スピードアップスイッチ８１がＯＦＦで、マイナススイッチ７９ｂを２回クリック操作した場合には、ステップＳ１１→Ｓ１２→Ｓ３０→Ｓ３１→Ｓ３２→Ｓ３３→Ｓ３４→Ｓ３５の処理に基づいて、まず、１回目のクリック操作に応じて、表示温度を２４℃に低減させるとともに、第２マイナス側シフト係数θ１による変数σθにより設定温度ＴＰＴＣ＝第２シフト設定温度Ｓ２Ｔｐｔｃも２４℃となる。
【０１０１】
さらに、２回目のクリック操作に応じ、表示温度は、２３℃とする一方、設定温度ＴＰＴＣは、変数σθの２回クリックに応じて２℃低下させることになり、２２℃とする。
したがって、目標吹出温度ＸＭは、設定温度ＴＰＴＣとして正規設定温度ＳＥＴｐｔｃを用いた場合よりも低い温度となり、少ないクリック操作で、高い涼感を得ることが可能となる。
【０１０２】
また、この場合、上述の暖房時と同様に、設定温度ＴＰＴＣとして、第２シフト設定温度Ｓ２Ｔｐｔｃを用いるのは、あらかじめ設定された保持時間Ｔ１が経過するまでの間であって、保持時間Ｔ１が経過した後には、復帰時間Ｔ２をかけて、第２設定温度Ｓ２Ｔｐｔｃを、正規設定温度ＳＥＴｐｔｃまで上昇させる。
【０１０３】
以上のように、保持時間Ｔ１が経過するまでは、クリック操作数に対して、高い涼感が得られる状態に保持され、その後、復帰時間Ｔ２をかけて、徐々に通常の制御に復帰して、クリック操作数に応じた設定温度ＴＰＴＣおよび目標吹出温度ＸＭに復帰する。
したがって、クリック操作に対して、短時間に涼感を得ることができながらも、その後は、表示された正規設定温度ＳＥＴｐｔｃに応じた目標吹出温度ＸＭとなって、スピードアップスイッチ８１をＯＮにしていないユーザに違和感を与えない空調制御が可能である。
【０１０４】
なお、さらにクリック操作数が増えた場合には、２回目以降のクリック操作数の２倍で設定温度ＴＰＴＣが低下され、さらに高い涼感を短時間に得ることができる。
また、第２マイナス側シフト係数θｎとして、θ２，θ３と刻み温度を大きくすることで、１クリック操作に対する設定温度ＴＰＴＣの低下量が大きくなり、この場合、少ないクリック操作数で、より高い涼感を短時間に得ることができる。
【０１０５】
以上説明してきたように、本実施例１の車両用空調制御装置Ａにあっては、運転開始直後などに暖房感や涼感が不足しているとユーザが感じる場合、実際のクリック操作数に対する設定温度ＴＰＴＣの温度変化量ΔＰＴＣを初期値よりも大きく設定することができ、クリック操作数に対して高い暖房感や涼感を短時間に得ることが可能となる。
【０１０６】
しかも、１クリック操作に対する温度変化量ΔＰＴＣは、ユーザが任意に設定可能としたため、いっそうユーザの要求に応じた暖房感や涼感を得ることが可能である。
【０１０７】
また、スピードアップスイッチ８１を設定し、設定温度ＴＰＴＣとして、クリック操作数に対する温度変化量ΔＰＴＣを大きくした両シフト設定温度Ｓ１Ｔｐｔｃ，Ｓ２Ｔｐｔｃを用いる場合に、温度表示部７０ｂに、第１シフト設定温度Ｓ１Ｔｐｔｃをそのまま表示する常時暖房および冷房強調処理と、表示は正規設定温度ＳＥＴｐｔｃとして、制御にのみ第２シフト設定温度Ｓ２Ｔｐｔｃを用いる一時的暖房および冷房強調処理とを、選択的に実行できるようにした。
このため、ユーザに違和感を与えないように、暖房感および涼感を強調することができる。
すなわち、スピードアップスイッチ８１をＯＮにした場合には、クリック操作数よりも大きく変化した第１シフト設定温度Ｓ１Ｔｐｔｃが表示され、ユーザは、スピードアップスイッチ８１をＯＮにした場合の大きな温度変化量ΔＰＴＣを認識でき、クリック操作数に対する温度変化のスピードアップを認識することができる。
一方、スピードアップスイッチ８１をＯＦＦにした場合には、クリック操作数に応じた正規設定温度ＳＥＴｐｔｃが表示され、クリック操作数に対して設定温度ＴＰＴＣが大きく変化する違和感を与えないようにしながらも、温度設定スイッチ７９をクリック操作して、暖房感あるいは涼感が不足している場合には、クリック操作数に対する設定温度ＴＰＴＣの温度変化量ΔＰＴＣを初期値よりも大きくして、暖房感および涼感を、短時間に得ることを可能とする。
【０１０８】
さらに、スピードアップスイッチ８１をＯＦＦにして、暖房感や涼感の強調を行う場合、この強調を行う保持時間Ｔ１を設定可能とし、温度変更操作を行った後の設定時間のみ温度変化量ΔＰＴＣの増大による暖房感および涼感の強調を図り、その後は、設定温度ＴＰＴＣを正規設定温度ＳＥＴｐｔｃに戻すようにした。
このため、温度変更の操作直後のみ、第２シフト設定温度Ｓ２Ｔｐｔｃを用いて暖房感および涼感の強調を行ってユーザの欲求に短時間に対応させながら、その後は、通常の制御に復帰させ、ユーザに、クリック操作数に応じて表示された正規設定温度ＳＥＴｐｔｃと異なる設定温度ＴＰＴＣによる吹出温度制御が実行されることによる違和感を与えることを防止できる。
【０１０９】
加えて、設定温度ＴＰＴＣを、第２シフト設定温度Ｓ２Ｔｐｔｃから正規設定温度ＳＥＴｐｔｃに復帰させる際に、その復帰に要する復帰時間Ｔ２を任意に設定可能とし、この復帰時間Ｔ２をかけて、漸次復帰させるようにしたため、瞬時に正規設定温度ＳＥＴｐｔｃに復帰させるものと比較して、目標吹出温度ＸＭの変化を抑えて、ユーザに違和感を与えることのない、高品質の制御が可能となる。
【０１１０】
さらに、本実施例１では、各変数σβ、ση、σδ、σθを、クリック操作の１回目のクリック操作は、ユーザに温度変更の要求があることのトリガとして用い、即座に温度変化量ΔＰＴＣを増大させずに、２回目以降のクリック操作が実行された場合に、温度変化量ΔＰＴＣを増大させるように設定した。
すなわち、通常、ユーザが、短時間に暖房感や涼感を得たい場合には、複数回のクリック操作を実行する傾向にあるのに対して、短時間の暖房感や涼感を求めないが少し温度変化をさせたい場合には、１回のクリック操作を実行する傾向にある。
そこで、本実施例１のように、各変数σβ、ση、σδ、σθを、上述のように設定することで、上述のようなユーザの要求に対応した高品質の制御が可能となる。
【０１１１】
以上、図面を参照して、本発明の実施の形態および実施例１について詳述してきたが、具体的な構成は、この実施の形態および実施例１に限らず、本発明の要旨を逸脱しない程度の設計的変更は、本発明に含まれる。
【０１１２】
すなわち、実施例１では、スピードアップスイッチ８１を設定し、ユーザが温度変化量ΔＰＴＣを増大させた状態を表示に反映させる状態と、反映させない状態とを選択できるようにしたが、スピードアップスイッチ８１を設定せずに、表示に反映させる状態と反映させない状態とのいずれか一方を実行するようにしてもよい。
この場合、設定処理にあっては、第１プラス側・マイナス側両シフト係数βｎ，ηｎと、第２プラス側・マイナス側両シフト係数δｎ，θｎとのいずれかを設定するようにすればよい。
また、設定温度ＴＰＴＣの設定では、ステップＳ１２からの処理として、＋側の処理は、ステップＳ２１〜Ｓ２５の処理と、ステップＳ２６〜Ｓ２９の処理とのいずれか一方のみを実行するようにすればよい。同様に、−側の処理も、ステップＳ３１〜Ｓ３５の処理と、ステップＳ３６〜Ｓ３８以降の処理とのいずれか一方のみを実行するようにすればよい。
なお、ステップＳ２６以降の処理、およびステップＳ３６以降の処理のみとした場合には、ステップＳ１３〜Ｓ１９の処理は、不要となる。
【０１１３】
また、実施例１では、保持時間Ｔ１をユーザが任意に設定できるようにした例を示したが、この保持時間Ｔ１は、一定値を用いるようにしてもよい。あるいは、保持時間Ｔ１を、制御装置が設定するようにしてもよい。この場合、例えば、室内温度を検出し、室内温度と設定温度ＴＰＴＣとの差に基づいて、この差が、所定以下になると、正規設定温度ＳＥＴｐｔｃに復帰するようにしてもよい。
【０１１４】
また、実施例１では、復帰時間Ｔ２をユーザが任意に設定できるようにした例を示したが、この復帰時間Ｔ２は、一定値を用いるようにしてもよい。あるいは、復帰時間Ｔ２を、制御装置が設定するようにしてもよい。この場合、例えば、温度変化量ΔＰＴＣが大きい場合ほど、復帰時間Ｔ２を長く設定するようにしたり、シフト設定温度と正規設定温度との差が大きいほど、復帰時間Ｔ２を長く設定するようにしてもよい。
【０１１５】
また、実施例１では、温度設定スイッチ７９として、プッシュ式のものを示したが、プッシュ式のスイッチに限らず、回転式のスイッチを用いてもよい。
【０１１６】
また、実施例１では、各シフト係数βｎ、ηｎ、δｎ、θｎを用いた場合に、温度変化量ΔＰＴＣを求めるのにそれぞれ１クリック操作目は温度を初期設定よりも大きくしない特性の変数σβ、ση、σδ、σθを用いるようにしたが、この変数特性は、これに限定されるものではなく、各シフト係数βｎ、ηｎ、δｎ、θｎを設定した場合には、１クリック操作目から、初期設定よりも温度変化量を大きくしてもよい。
【図面の簡単な説明】
【０１１７】
【図１】本発明の最良の実施の形態の実施例１の車両用空調制御装置Ａの構成を示す構成説明図である。
【図２】実施例１の車両用空調制御装置Ａの操作コントローラ７を示す正面図である。
【図３】実施例１の車両用空調制御装置Ａによる設定処理の流れを示すフローチャートである。
【図４】実施例１の車両用空調制御装置Ａで用いる第１プラス側シフト係数βｎと表示温度と温度変化量との関係を示す係数特性図である。
【図５】実施例１の車両用空調制御装置Ａで用いる第１マイナス側シフト係数ηｎと表示温度と温度変化量との関係を示す係数特性図である。
【図６】実施例１の車両用空調制御装置Ａによる保持時間Ｔ１と表示との関係を示す設定特性図である。
【図７】実施例１の車両用空調制御装置Ａによる復帰時間Ｔ２と表示との関係を示す設定特性図である。
【図８】実施例１の車両用空調制御装置Ａで用いる第２プラス側シフト係数δｎと表示温度と温度変化量との関係を示す係数特性図である。
【図９】実施例１の車両用空調制御装置Ａで用いる第２マイナス側シフト係数θｎと表示温度と温度変化量との関係を示す係数特性図である。
【図１０】実施例１の車両用空調制御装置Ａによる設定温度ＴＰＴＣの決定処理の流れ一部を示すフローチャートである。
【図１１】実施例１の車両用空調制御装置Ａによる設定温度ＴＰＴＣの決定処理の流れ一部を示すフローチャートである。
【図１２】実施例１の車両用空調制御装置Ａによる水温上昇防止処理の流れの一部を示すフローチャートである。
【図１３】実施例１の車両用空調制御装置Ａによる水温上昇防止処理の流れの一部を示すフローチャートである。
【図１４】実施例１の車両用空調制御装置Ａによる水温上昇防止処理の流れの一部を示すフローチャートである。
【図１５】実施例１の車両用空調制御装置Ａによる水温上昇防止処理の流れの一部を示すフローチャートである。
【図１６】実施例１の車両用空調制御装置Ａで用いる変数σβと第１プラス側シフト係数βｎとの関係を示す変数特性図である。
【図１７】実施例１の車両用空調制御装置Ａで用いる変数σηと第１マイナス側シフト係数ηｎとの関係を示す変数特性図である。
【図１８】実施例１の車両用空調制御装置Ａで用いる変数σδと第２プラス側シフト係数δｎとの関係を示す変数特性図である。
【図１９】実施例１の車両用空調制御装置Ａで用いる変数σθと第２マイナス側シフト係数θｎとの関係を示す変数特性図である。
【図２０】実施例１の車両用空調制御装置Ａによる一時冷房強調処理の実行時の設定温度ＴＰＴＣの変化を示す設定温度特性図である。
【図２１】実施例１の車両用空調制御装置Ａによる一時暖房強調処理の実行時の設定温度ＴＰＴＣの変化を示す設定温度特性図である。
【符号の説明】
【０１１８】
１     空調ユニット
２     コントロールユニット（制御装置）
７９   温度設定スイッチ
７９ａ プラススイッチ
７９ｂ マイナススイッチ
８１   スピードアップスイッチ
９０   イグニッションスイッチ
Ａ     車両用空調制御装置
Ｓ１Ｔｐｔｃ    第１シフト設定温度
Ｓ２Ｔｐｔｃ  第２シフト設置温度
ＳＥＴｐｔｃ  正規設定温度
Ｔ１   保持時間
Ｔ２   復帰時間
ＴＰＴＣ      設定温度
ＸＭ   目標吹出温度
βｎ   第１プラス側シフト係数
δｎ   第２プラス側シフト係数
ΔＰＴＣ      温度変化量
ηｎ   第１マイナス側シフト係数
θｎ   第２マイナス側シフト係数
【図１】
2009166528.tif 000003
【図２】
2009166528.tif 000004
【図３】
2009166528.tif 000005
【図４】
2009166528.tif 000006
【図５】
2009166528.tif 000007
【図６】
2009166528.tif 000008
【図７】
2009166528.tif 000009
【図８】
2009166528.tif 000010
【図９】
2009166528.tif 000011
【図１０】
2009166528.tif 000012
【図１１】
2009166528.tif 000013
【図１２】
2009166528.tif 000014
【図１３】
2009166528.tif 000015
【図１４】
2009166528.tif 000016
【図１５】
2009166528.tif 000017
【図１６】
2009166528.tif 000018
【図１７】
2009166528.tif 000019
【図１８】
2009166528.tif 000020
【図１９】
2009166528.tif 000021
【図２０】
2009166528.tif 000022
【図２１】
2009166528.tif 000023